(57)【特許請求の範囲】
【請求項１】
ナビゲーション機能を含む電子装置であって、
外部とデータ通信を可能にする通信手段と、
観光地、名所または施設等の第１の地点情報を記憶する記憶手段と、
表示エリア内の道路地図上に、前記第１の地点情報を識別するための第１の識別情報を表示する第１の識別情報表示手段と、
少なくとも表示エリアに表示された第１の識別情報に対応する第１の地点情報のジャンルを識別し、当該ジャンルに基づき前記通信手段を介して情報を検索する検索手段と、
前記検索手段により検索された情報から前記表示エリア内に含まれる第２の地点情報を抽出する抽出手段と、
前記表示エリア内の道路地図上に、前記第２の地点情報を識別するための第２の識別情報を表示する第２の識別情報表示手段とを有し、
前記第２の識別情報はさらに、前記ジャンルに基づき検索を行ったときの前記検索手段を識別するための検索識別情報を含む、電子装置。
【請求項２】
前記検索手段は、少なくとも１つの検索アプリケーションを含み、前記第２の識別情報は、前記検索アプリケーションを識別する検索識別情報を含む、請求項１に記載の電子装置。
【請求項３】
前記検索手段は、複数のジャンルに応じた複数の検索アプリケーションを含み、前記検索手段は、前記識別されたジャンルに対応する検索アプリケーションを選択して情報を検索する、請求項１または２に記載の電子装置。
【請求項４】
前記第２の識別情報は、少なくとも前記検索手段に用いられた検索アプリケーションを識別する検索識別情報としてアイコンを含む、請求項１ないし３いずれか１つに記載の電子装置。
【請求項５】
前記第２の識別情報は、少なくとも前記検索手段に用いられた検索アプリケーションを識別する検索識別情報として文字列を含む、請求項１ないし４いずれか１つに記載の電子装置。
【請求項６】
前記第２の識別情報は、前記第２の地点情報の属性情報を含む、請求項１ないし５いずれか１つに記載の電子装置。
【請求項７】
電子装置はさらに、前記抽出手段より抽出された第２の地点情報を記憶する記憶手段を含み、前記第２の識別情報は、前記記憶手段に記憶された第２の地点情報に含まれる関連情報とリンクされる、請求項１ないし６いずれか１つに記載の電子装置。
【請求項８】
前記関連情報は、第２の地点情報の詳細情報を含む、請求項７に記載の電子装置。
【請求項９】
電子装置はさらに、第１の地点情報をジャンルに基づき表示または非表示に設定する設定手段を含み、前記検索手段は、前記設定手段において表示とされているジャンルを識別する、請求項１に記載の電子装置。
【請求項１０】
電子装置はさらに、前記抽出手段により抽出された第２の地点情報が前記表示された第１の地点情報に一致するか否かを判定する判定手段を含み、
前記第２の識別情報表示手段は、前記判定手段により一致すると判定された場合には、第２の識別情報を第１の識別情報に隣接して表示する、請求項１に記載の電子装置。
【請求項１１】
電子装置はさらに、前記抽出手段により抽出された第２の地点情報が前記表示された第１の地点情報に一致するか否かを判定する判定手段を含み、
前記第２の識別情報表示手段は、前記判定手段により一致すると判定された場合には、第２の識別情報と第１の識別情報とを合成して表示する、請求項１に記載の電子装置。
【請求項１２】
請求項１ないし１１いずれか１つに記載の電子装置と、
前記電子装置と前記通信手段を介して接続される少なくとも１つのサーバーとを有し、
前記検索手段は、前記サーバーから所望の情報を検索する、電子処理システム。
【請求項１３】
ナビゲーション機能、外部と無線によるデータ通信を可能にする通信手段、および観光地、名所または施設等の第１の地点情報を記憶する記憶手段を含む電子装置が実行する表示プログラムであって、
表示エリア内の道路地図上に、前記第１の地点情報を識別するための第１の識別情報を表示するステップと、
少なくとも表示エリアに表示された第１の識別情報に対応する第１の地点情報のジャンルを識別するステップと、
識別されたジャンルに基づき前記通信手段を介して情報を検索するステップと、
検索された情報から前記表示エリア内に含まれる第２の地点情報を抽出するステップと、
前記表示エリア内の道路地図上に、前記第２の地点情報を識別するための第２の識別情報を表示するステップとを有し、
前記第２の識別情報はさらに、前記ジャンルに基づき検索を行ったときの前記検索するステップを識別するための検索識別情報を含む、表示プログラム。
【請求項１４】
前記検索するステップは、複数のジャンルに応じた複数の検索アプリケーションの中から、前記識別されたジャンルに対応する検索アプリケーションを選択するステップを含む、請求項１３に記載の表示プログラム。
【請求項１５】
前記第２の識別情報は、少なくとも前記検索するステップに用いられた検索アプリケーションを識別する検索識別情報としてアイコンを含む、請求項１３または１４に記載の表示プログラム。
【請求項１６】
前記第２の識別情報は、少なくとも前記検索するステップに用いられた検索アプリケーションを識別する検索識別情報として文字列を含む、請求項１３ないし１５いずれか１つに記載の表示プログラム。
【請求項１７】
前記検索するステップは、バックグラウンドで処理される、請求項１３ないし１６いずれか１つに記載の表示プログラム。
【請求項１８】
ナビゲーション機能、外部と無線によるデータ通信を可能にする通信手段、および観光地、名所または施設等の第１の地点情報を記憶する記憶手段を含む電子装置における表示方法であって、
表示エリア内の道路地図上に、前記第１の地点情報を識別するための第１の識別情報を表示するステップと、
少なくとも表示エリアに表示された第１の識別情報に対応する第１の地点情報のジャンルを識別するステップと、
識別されたジャンルに基づき前記通信手段を介して情報を検索するステップと、
検索された情報から前記表示エリア内に含まれる第２の地点情報を抽出するステップと、
前記表示エリア内の道路地図上に、前記第２の地点情報を識別するための第２の識別情報を表示するステップとを有し、
前記第２の識別情報はさらに、前記ジャンルに基づき検索を行ったときの前記検索するステップを識別するための検索識別情報を含む、表示方法。
【請求項１９】
前記検索するステップは、複数のジャンルに応じた複数の検索アプリケーションの中から、前記識別されたジャンルに対応する検索アプリケーションを選択するステップを含む、請求項１８に記載の表示方法。
【請求項２０】
前記第２の識別情報は、少なくとも前記検索するステップに用いられた検索アプリケーションを識別する検索識別情報としてアイコンを含む、請求項１８または１９に記載の表示方法。
【請求項２１】
前記第２の識別情報は、少なくとも前記検索するステップに用いられた検索アプリケーションを識別する検索識別情報として文字列を含む、請求項１８ないし２０いずれか１つに記載の表示方法。
【発明の詳細な説明】
【技術分野】
【０００１】
本発明は、ナビゲーション装置またはナビゲーション機能を備えた電子装置における、施設、名所、観光地等のＰＯＩ（Point of Interest）情報の表示に関する。
【背景技術】
【０００２】
ナビゲーション装置では、ＰＯＩ情報として施設等のアイコンを地図上に重ねて表示する機能を備えている。このようなＰＯＩ情報は、基本的にはナビゲーション装置のローカルな記憶媒体（ＨＤＤなど）に保存され、更新されない限り、最新の情報と比較して鮮度や詳細度において見劣りすることがある。また、インターネット上のＷＷＷ（World Wide Web）のウェブページには、名所、観光地、レストラン、ホテル等の情報が数多く提供されており、通信機能を備えたナビゲーション装置では、このようなウェブページへアクセスすることで、これらの最新の情報を取得することができる。
【０００３】
例えば、特許文献１のカーナビゲーションシステムでは、通信装置を介してインターネット上のウェブページで紹介されている施設等の住所や電話番号等の文字列を自動的に抽出し、抽出された文字列に基づき施設等の緯度、経度を検索サーバーを利用して検索し、検索された緯度、経度を用いて施設等を表示したり、目的地に設定すること可能にしている。また、特許文献２のナビゲーションシステムでは、サーバーからサーバーＰＯＩリストを取得し、端末装置に記憶されていないＰＯＩがあった場合には、このＰＯＩの情報を要求することで、端末装置に記憶されたＰＯＩの更新を行うものである。特許文献３では、個人が保有するパーソナルコンピュータで取得した施設情報やデジタルカメラで撮像した施設紹介情報をＳＤカードなどの記憶媒体に記憶し、記憶媒体から施設情報や施設紹介情報等をナビゲーション装置に取り込み、それらの情報をナビゲーション装置において表示できるようにしている。
【先行技術文献】
【特許文献】
【０００４】
【特許文献１】特開２０００−３３７９１１号公報
【特許文献１】特開２００６−１６２６９１号公報
【特許文献２】特開２００９−２６４９４４号公報
【発明の概要】
【発明が解決しようとする課題】
【０００５】
ナビゲーション装置は、それ自身の記憶媒体にＰＯＩ情報を保持し、特許文献２のようにサーバーからの最新のＰＯＩ情報を取得したり、あるいは特許文献３のようにＳＤカード等の記憶媒体からＰＯＩ情報を取得できるようになっている。しかし、サーバーから取得されるＰＯＩ情報は、必ずしも道路地図上に存在するすべてのＰＯＩ情報を網羅するものではなく、情報の網羅性という点ではナビゲーション装置のローカルなＰＯＩ情報に劣る場合がある。また、ナビゲーション装置のローカルなＰＯＩ情報とサーバー等から取得したＰＯＩ情報とのいずれかを表示させようとすると、ＰＯＩ情報の選択を行わなければなわず、同時にＰＯＩ情報を確認することができず、使い勝手が悪いという課題がある。
【０００６】
本発明は、上記のような従来の課題を解決するものであり、自身が保有する地点情報と外部から取得した地点情報とを表示することができる電子装置、電子処理システム、表示プログラムおよび表示方法を提供することを目的とする。
【課題を解決するための手段】
【０００７】
本発明に係る電子装置は、ナビゲーション機能を含むものであって、外部と無線によるデータ通信を可能にする通信手段と、観光地、名所または施設等の第１の地点情報を記憶する記憶手段と、表示エリア内の道路地図上に、前記第１の地点情報を識別するための第１の識別情報を表示する第１の識別情報表示手段と、少なくとも表示エリアに表示された第１の識別情報に対応する第１の地点情報のジャンルを識別し、当該ジャンルに基づき前記通信手段を介して情報を検索する検索手段と、前記検索手段により検索された情報から前記表示エリア内に含まれる第２の地点情報を抽出する抽出手段と、前記表示エリア内の道路地図上に、前記第２の地点情報を識別するための第２の識別情報を表示する第２の識別情報表示手段とを有し、前記第２の識別情報はさらに、前記ジャンルに基づき検索を行ったときの前記検索手段を識別するための検索識別情報を含む。
【０００８】
好ましくは前記検索手段は、少なくとも１つの検索アプリケーションを含み、前記第２の識別情報は、前記検索アプリケーションを識別する検索識別情報を含む。好ましくは前記検索手段は、複数のジャンルに応じた複数の検索アプリケーションを含み、前記検索手段は、前記識別されたジャンルに対応する検索アプリケーションを選択して情報を検索する。好ましくは前記第２の識別情報は、少なくとも前記検索手段に用いられた検索アプリケーションを識別する検索識別情報としてアイコンを含む。好ましくは前記第２の識別情報は、少なくとも前記検索手段に用いられた検索アプリケーションを識別する検索識別情報として文字列を含む。好ましくは前記第２の識別情報は、前記第２の地点情報の属性情報を含む。
【０００９】
好ましくは電子装置はさらに、前記抽出手段より抽出された第２の地点情報を記憶する記憶手段を含み、前記第２の識別情報は、前記記憶手段に記憶された第２の地点情報に含まれる関連情報とリンクされる。好ましくは前記関連情報は、第２の地点情報の詳細情報を含む。好ましくは電子装置はさらに、第１の地点情報をジャンルに基づき表示または非表示に設定する設定手段を含み、前記検索手段は、前記設定手段において表示とされているジャンルを識別する。好ましくは電子装置はさらに、前記抽出手段により抽出された第２の地点情報が前記表示された第１の地点情報に一致するか否かを判定する判定手段を含み、前記第２の識別情報表示手段は、前記判定手段により一致すると判定された場合には、第２の識別情報を第１の識別情報に隣接して表示する。好ましくは電子装置はさらに、前記抽出手段により抽出された第２の地点情報が前記表示された第１の地点情報に一致するか否かを判定する判定手段を含み、前記第２の識別情報表示手段は、前記判定手段により一致すると判定された場合には、第２の識別情報と第１の識別情報とを合成して表示する。
【００１０】
本発明の電子処理システムは、上記構成の電子装置と、前記電子装置と前記通信手段を介して接続される少なくとも１つのサーバーとを有し、前記検索手段は、前記サーバーから所望の情報を検索する。
【００１１】
本発明に係る表示プログラムは、ナビゲーション機能、外部と無線によるデータ通信を可能にする通信手段、および観光地、名所または施設等の第１の地点情報を記憶する記憶手段を含む電子装置が実行するものであって、表示エリア内の道路地図上に、前記第１の地点情報を識別するための第１の識別情報を表示するステップと、少なくとも表示エリアに表示された第１の識別情報に対応する第１の地点情報のジャンルを識別するステップと、識別されたジャンルに基づき前記通信手段を介して情報を検索するステップと、検索された情報から前記表示エリア内に含まれる第２の地点情報を抽出するステップと、前記表示エリア内の道路地図上に、前記第２の地点情報を識別するための第２の識別情報を表示するステップとを有し、前記第２の識別情報はさらに、前記ジャンルに基づき検索を行ったときの前記検索するステップを識別するための検索識別情報を含む。
【００１２】
本発明に係る表示方法は、ナビゲーション機能、外部と無線によるデータ通信を可能にする通信手段、および観光地、名所または施設等の第１の地点情報を記憶する記憶手段を含む電子装置におけるものであって、表示エリア内の道路地図上に、前記第１の地点情報を識別するための第１の識別情報を表示するステップと、少なくとも表示エリアに表示された第１の識別情報に対応する第１の地点情報のジャンルを識別するステップと、識別されたジャンルに基づき前記通信手段を介して情報を検索するステップと、検索された情報から前記表示エリア内に含まれる第２の地点情報を抽出するステップと、前記表示エリア内の道路地図上に、前記第２の地点情報を識別するための第２の識別情報を表示するステップとを有し、前記第２の識別情報はさらに、前記ジャンルに基づき検索を行ったときの前記検索するステップを識別するための検索識別情報を含む。
【発明の効果】
【００１３】
本発明によれば、自身が保有する第１の地点情報を第１の識別情報で表示し、かつ外部から取得した第２の地点情報を第２の識別情報で表示するようにしたので、ユーザーは、表示エリア内において、自身が保有する第１の地点情報と外部から取得した第２の地点情報を同時に認識することができる。また、外部から第２の地点情報を検索することで、自身が保有していない有用なまたは最新の地点情報を取得することができ、かつ表示エリア内に含まれる地点情報をより網羅することができる。さらに、第２の識別情報が検索手段を識別するための検索識別情報を含むことで、ユーザーは、第２の地点情報の嗜好性を認識することができる。
【図面の簡単な説明】
【００１４】
【図１】本発明の実施例に係る情報処理システムの構成例を説明する図である。
【図２】本発明の実施例に係る情報処理端末の構成例を示す図である。
【図３】本発明の実施例によるナビゲーション機能の道路地図表示機能の構成を示すブロック図である。
【図４】内部ＰＯＩ情報のデータの構成例である。
【図５】本発明の実施例による外部ＰＯＩ情報検索部の動作を説明するフローである。
【図６】本発明の実施例による外部ＰＯＩ情報抽出部の動作を説明するフローである。
【図７】外部ＰＯＩ情報のデータの構成例である。
【図８】本発明の実施例による重複ＰＯＩ判定部の動作を説明するフローである。
【図９】本発明の実施例による検索アプリケーションと関連付けされたアイコンを説明する図である。
【図１０】本発明の実施例による外部ＰＯＩ情報表示部の動作を説明するフローである。
【図１１】本発明の実施例による外部ＰＯＩ情報の表示例を示す図である。
【図１２】本発明の実施例による外部ＰＯＩ情報の表示例を示す図である。
【発明を実施するための形態】
【００１５】
次に、本発明の実施の形態について図面を参照して説明する。本発明に係る情報処理端末は、移動体としての車両などに搭載され、そこで利用される。本発明の情報処理端末は、移動体に予め固定された端末または装置のみならず、移動体に持ち込むことができる携帯型またはポータブルな端末または装置であってもよい。好ましい態様では、情報処理端末は、データ処理機能、データ通信機能、およびデータ出力機能等を備えた多機能型の端末であることができ、例えば、携帯電話機、スマートフォン、パームトップ型、ラップトップ型あるいはノート型コンピュータなどである。また、情報処理端末は、プログラムにより種々のアプリケーションを実行可能なものであってもよく、ナビゲーション機能、音楽や画像などのメディアデータの再生機能、検索機能などを有することができる。これらの機能は、外部のサーバーなどからダウンロードするものでもよく、また、これらの機能は、外部のサーバーなどから受信したデータを用いて処理を実行することができる。
【実施例】
【００１６】
図１（Ａ）、（Ｂ）は、本発明の実施例に係る情報処理システムの概略を説明する図である。図１（Ａ）に示す情報処理システム１０は、自動車、二輪車等の移動体上に置かれる情報処理端末２０と、情報処理端末２０と無線通信網３０を介して接続されるサーバー４０〜４０ｎとを備えている。
【００１７】
無線通信網３０は、一定強度で電波信号を発する基地局３２と、基地局３２に接続されたインターネット等のネットワーク３４とを含む。基地局３２がカバーするエリア内に存在する情報処理端末２０は、無線通信網３０を介して種々のサーバー４０〜４０ｎと無線によるデータ通信を可能にする。情報処理端末２０と基地局３２間の通信は、公衆無線回線網や、ＬＡＮ、ＷＡＮ、ＷｉＦｉなどの無線通信を用いることができる。サーバー４０〜４０ｎは、例えば、インターネットのＵＲＬ上においてウェブページを提供する。
【００１８】
図１（Ｂ）に示す情報処理システム１０Ａでは、情報処理端末２０は、通信端末２０Ａと、ナビゲーション装置２０Ｂとを含んで構成される。携帯端末２０Ａは、例えばスマートフォンのような多機能型の端末であり、通信機能やその他のアプリケーションを処理する機能を備えている。ナビゲーション装置２０Ｂは車載用であり、ナビゲーション装置２０Ｂは、携帯端末２０Ａに接続され、携帯端末２０Ａの機能を利用することでネットワーク３４を介してサーバー４０に接続することができる。
【００１９】
図２は、図１（Ａ）に示す情報処理端末２０の典型的な構成を示すブロック図である。同図に示すように、情報処理端末２０は、ユーザーからの入力を受け取る入力部１００、外部と無線によるデータ通信を可能にする無線通信部１１０、情報処理端末２０の現在位置を検出する位置検出部１２０、ディスプレイに画像データを表示させる表示制御部１３０、スピーカから音声を出力させる音声出力部１４０、音声データや画像データ等のメディアデータを再生するメディア再生部１５０、プログラムやアプリケーションソフトなどを実行し各部を制御する制御部１６０、無線通信部１１０を介してインターネット上の所定のサイトから情報を検索するための検索アプリケーションを保持する検索アプリ保持部１７０、プログラムデータを格納するプログラムメモリ１８０、種々のデータを記憶するデータメモリ１９０を備えている。さらに、ここには示さないが、他の電子機器との間で有線によるデータ通信を可能にするインターフェースを備えることもできる。
【００２０】
無線通信部１１０は、図１に示すように無線通信網３０を介してサーバー４０〜４０ｎとの通信を確立し、さらには情報処理端末２０の周辺に存在する他の電子機器との間で近距離無線通信を確立するようにしてもよい。位置検出部１２０は、情報処理端末２０がＧＰＳ信号を受信するＧＰＳ受信機を備えている場合には、ＧＰＳ信号により算出された情報処理端末の緯度、経度等の絶対位置情報を検出する。これ以外にも、位置検出部１２０は、車両に搭載されたＧＰＳ受信機から位置情報を取得したり、あるいはサーバーや、その他の路面に設置された位置情報配信装置などから位置情報を取得するものであってもよい。
【００２１】
メディア再生部１５０は、ＣＤ、ＤＶＤ、ブルーレイディスク、メモリ媒体、データメモリ１８０などに記録された音声データや画像データを再生する機能、テレビ放送やラジオ放送を受信・再生する機能などを有する。
【００２２】
検索アプリ保持部１７０は、１つ若しくは複数の検索アプリケーションソフトウエアを保持する。好ましい態様では、各検索アプリケーションは、それぞれのジャンルまたはカテゴリー等に応じた情報を検索するものであり、例えば、ある検索アプリケーションは、レストランに関する情報を検索し、ある検索アプリケーションは、ホテルに関する情報を検索し、ある検索アプリケーションは、観光地に関する情報を検索する。ジャンル別またはカテゴリー別に検索アプリケーションが保持されている場合には、検索アプリ保持部１７０は、検索アプリケーションを識別する識別コードとそれに対応するジャンル識別コードとを関連付けした管理テーブルを保持することができる。但し、１つの検索アプリケーションは、必ずしも１つのジャンルに制限される必要はなく、１つの検索アプリケーションが複数のジャンルにわたる情報を検索するものであってもよく、この場合、１つの検索アプリケーションには複数のジャンル識別コードが対応付けされる。
【００２３】
検索アプリケーションは、情報処理端末２０に予め保持されたものであってもよいし、ユーザーがサーバーからダウンロードしたものであってもよい。好ましい態様では、情報処理端末２０のディスプレイには、検索アプリケーションのアイコンが表示され、ユーザーは、アイコンを選択することで検索アプリケーションを起動させることができる。さらに他の好ましい態様では、ナビゲーション機能が実行されているとき、制御部１６０は、管理テーブルを参照して所定の検索アプリケーションを選択し、当該アプリケーションを自動的に起動させ、情報を検索させる。
【００２４】
プログラムメモリ１８０は、無線通信部１１０を制御するプログラム、メディア再生部１５０を制御するプログラム、ナビゲーション機能を制御するプログラムなどを記憶する。プログラムメモリ１８０に格納されたプログラムは、制御部１６０によって実行される。
【００２５】
データメモリ１９０は、種々のデータを蓄積するものであるが、データメモリ１９０は、電源が遮断されてもデータが保存される不揮発性記憶媒体（例えば、半導体メモリやハードディスク）を含み、例えば無線通信部１１０を介してサーバーから取得されたデータを保持することができる。
【００２６】
情報処理端末２０は、上記したようにナビゲーション機能を含み、位置検出部１２０により情報処理端末２０の現在地を検出すると、当該現在地の周辺の道路地図をディスプレイに表示する。また、目的地が設定された場合には、目的地までのルートを探索し、目的地までのルートを案内する。ディスプレイに表示される道路地図データは、情報処理端末２０が保有するものを用いることもできるし、サーバー４０から配信されたものを利用することもできる。
【００２７】
次に、ナビゲーション機能に含まれる道路地図表示機能について説明する。図３は、本実施例による道路地図表示機能２００の構成を表したブロック図である。本実施例の道路地図表示機能２００は、現在地周辺の道路地図がディスプレイの表示エリア内に表示されるとき、情報処理端末２０が保有するローカルなＰＯＩ情報を道路地図上に表示し、これに加えてインターネット上から取得したＰＯＩ情報を表示することが可能である。ここで、説明の便宜上、情報処理端末２０が保有するローカルなＰＯＩ情報を内部ＰＯＩ情報と称し、インターネット等の外部から取得したＰＯＩ情報を外部ＰＯＩ情報と称する。また、ＰＯＩ情報とは、観光地、名所、施設等の種々の地点に関する情報を表す総称である。
【００２８】
内部ＰＯＩ情報格納部２１０は、内部ＰＯＩ情報をデータメモリ１９０に格納する。例えば、内部ＰＯＩ情報は、図４に示すようなデータを有することができる。すなわち、内部ＰＯＩ情報は、ＰＯＩ情報を識別する識別データ、ＰＯＩ情報の属性データ（例えば、名前、住所、電話番号、系列の有無など）、ＰＯＩ情報の緯度、経度等を示す座標データ）、ＰＯＩ情報を表示するときのアイコンデータ、ＰＯＩ情報のジャンルやカテゴリーを示すジャンルデータ、ＰＯＩ情報が更新された更新日時データ、ＰＯＩ情報の詳細データ（観光地、名所、施設などの説明など）を含むことができる。
【００２９】
表示ジャンル設定部２２０は、表示されるＰＯＩ情報のジャンルを設定し、その設定情報を保持する。この設定は、ユーザーによって行うことができる。例えば、レストランのジャンルのみを表示させ、それ以外を非表示に設定することができる。
【００３０】
内部ＰＯＩ情報表示部２３０は、ディスプレイの表示エリア内に道路地図が表示されるとき、当該道路地図上に表示すべき内部ＰＯＩ情報を内部ＰＯＩ情報格納部２１０から読出し、これを表示する。好ましい例では、位置検出部１２０により現在地が検出されると、その周辺の道路地図が表示される。内部ＰＯＩ情報表示部２３０は、表示エリアもしくは表示される道路地図の座標内に含まれる内部ＰＯＩ情報を検索し、そのアイコン画像を道路地図上に表示する。
【００３１】
外部ＰＯＩ情報検索部２４０は、検索アプリ保持部１７０に保持された検索アプリケーションを起動し、無線通信部１１０を介してインターネット上のサーバーから外部ＰＯＩ情報を検索する。外部ＰＯＩ情報の検索は、好ましい態様では、ディスプレイに現在地の周辺の道路地図が表示されたとき、バックグランド処理にて実行する。これ以外にも、ユーザーが周辺施設検索を行うとき、目的地の設定を行うときに、外部ＰＯＩ情報の検索を行うようにしてもよいし、ユーザーからの指示があったときに検索をするようにしてもよい。
【００３２】
さらに好ましい態様では、外部ＰＯＩ情報検索部２４０は、道路地図上に表示された内部ＰＯＩ情報のジャンルを識別し、当該識別されたジャンルを識別子に用いて情報の検索を行う。あるいは、表示ジャンル設定部２２０において表示設定されたジャンルを識別し、これを識別子に用いて情報の検索を行うようにしてもよい。好ましい態様では、検索保持アプリ保持部１７０が、複数のジャンルの検索アプリケーションを保持している場合には、上記した管理テーブルを参照して、識別子に対応する検索アプリケーションを選択し、当該検索アプリケーションがアクセスしたＵＲＬもしくはウェブページ上の情報を検索する。もし、検索アプリケーションがジャンル別に用意されていない場合には、任意の検索アプリケーションを起動し、上記の識別子を検索キーワードに用いてインターネット上のサーバーから情報を検索する。外部ＰＯＩ情報検索部２４０によって検索されたデータは、データメモリ１９０に蓄積される。
【００３３】
図５は、外部ＰＯＩ情報検索部２４０の動作フローを示している。ここでは、現在地周辺の道路地図が表示されたときに検索が起動される例を示している。現在地の道路地図が表示されると（Ｓ１０１）、外部ＰＯＩ情報検索部２４０は、バックグランド処理にて動作を開始され、表示される内部ＰＯＩ情報のジャンルを識別する（Ｓ１０２）。この識別は、上記したように、道路地図上に表示されている内部ＰＯＩ情報から、あるいは表示ジャンル設定部２２０の設定情報から識別する。次に、外部ＰＯＩ情報検索部２４０は、識別されたジャンル、すなわち識別子に該当する検索アプリケーションが検索アプリ保持部１７０によって保持されているか否かを検索する（Ｓ１０３）。例えば、識別子が「レストラン」のジャンルであったとき、検索アプリ保持部１７０がレストランを検索する検索アプリを保持しているか否かをチェックする。このチェックは、上記したように、検索アプリ保持部１７０に保持された管理テーブルを参照することにより行われる。
【００３４】
識別子に該当する検索アプリケーションが見つかった場合には、当該検索アプリケーションを起動させ、そのインターネット上のアクセスされたウェブサイトから情報が収集され（Ｓ１０６）、この収集された情報がデータメモリ１９０に蓄積される（Ｓ１０７）。一方、識別子に該当する検索アプリケーションが見つからなかった場合には、任意の検索アプリケーションまたはブラウザを起動して、識別子をキーワードに用いて情報の検索、収集を行い（Ｓ１０６）、収集された情報がデータメモリ１９０に蓄積される（Ｓ１０７）。
【００３５】
次に、外部ＰＯＩ情報抽出部２５０について説明する。外部ＰＯＩ情報抽出部２５０は、外部ＰＯＩ情報検索部２４０により検索された情報から外部ＰＯＩ情報を抽出する。ここでは、説明を判り易くするため、ＰＯＩ情報がレストランに関するものとする。
【００３６】
初めに、外部ＰＯＩ情報抽出部２５０は、ウェブページで紹介されたレストランの文字列やタグ情報などから、名前、郵便番号、住所、電話番号、URL（ＷＷＷ）などのレストランの固有情報を抽出する。次に、レストランの名前、住所、電話番号等を検索子に用いてレストランの座標（緯度、経度）を検索する。例えば、最初に、内部ＰＯＩ情報格納部２１０のデータベースに一致するレストランがあるか否かを検索し、一致するものがあれば、その座標に決定する。もし、一致するものがなければ、特許文献１のようにブラウザを用いて位置検索サーバーを利用してレストランの座標を検索する。それでも検索できなければ、レストランの住所からその座標を予測するようにしてもよい。座標が検索できたならば、次に、外部ＰＯＩ情報抽出部２５０は、それらのレストランの中から、道路地図の表示エリア内に座標をもつレストランの絞込みを行う。こうして、道路地図の表示エリア内に表示可能なレストランが選択されたことになる。
【００３７】
図６は、外部ＰＯＩ情報抽出部の抽出動作を示すフローである。外部ＰＯＩ情報検索部２４０により検索された情報から外部ＰＯＩ情報の固有情報を抽出し（Ｓ２０１）、次に、抽出された固有情報に基づき外部ＰＯＩ情報の座標を識別する（Ｓ２０２）。次に、外部ＰＯＩ情報抽出部２５０は、道路地図の表示エリアと外部ＰＯＩ情報の座標とを比較し（Ｓ２０３）、外部ＰＯＩ情報が表示エリア内であるか否かを判定する（Ｓ２０４）。表示エリア内の座標であれば、表示可能な外部ＰＯＩ情報として抽出される（Ｓ２０５）。こうして、検索された情報の中から表示可能な全ての外部ＰＯＩ情報が抽出される（Ｓ２０６）。
【００３８】
外部ＰＯＩ情報抽出部２５０によって抽出された外部ＰＯＩ情報は、図７に示すようなデータ構成例で保存される。同図に示すように、外部ＰＯＩ情報は、外部ＰＯＩを識別するデータ、外部ＰＯＩの属性データ（例えば、名前、住所、電話番号など）、外部ＰＯＩ情報を検索した検索アプリの識別データ（またはジャンル）、インターネット上から取得された取得日時データ、ウェブページ上で紹介されている評価、口コミなどの詳細データ、ウェブページのＵＲＬなどである。なお、ここでのジャンルは、検索されたときの識別子である。
【００３９】
次に、重複ＰＯＩ判定部２６０の動作を図８のフローに基づき説明する。重複ＰＯＩ判定部２６０は、外部ＰＯＩ情報抽出部２５０によって抽出された外部ＰＯＩ情報と道路地図上に表示された内部ＰＯＩ情報とを比較する（Ｓ３０１）。ここでの比較は、ＰＯＩ情報に含まれる座標が一致するか否かを比較し、一致する場合にはさらに属性（例えば、名前）も比較するようにしてもよい。例えば、同一ビル内に複数の異なる施設が存在する場合があり、座標が一致しても施設が同じとは限らないからである。外部ＰＯＩ情報が内部ＰＯＩ情報に一致すれば（Ｓ３０２）、これを判別できるようにするため、外部ＰＯＩ情報にフラグが設定される（Ｓ３０３）。こうして、抽出されたすべての外部ＰＯＩ情報が内部ＰＯＩ情報に重複するか否かを判定される（Ｓ３０４）。
【００４０】
次に、外部ＰＯＩ情報表示部２７０について説明する。外部ＰＯＩ情報表示部２７０は、表示エリア内の道路地図上に、抽出された外部ＰＯＩ情報の存在を識別できるようにアイコン等を表示する。このため、先ず、外部ＰＯＩ情報表示部２７０は、外部ＰＯＩ情報をどのようなアイコンで表示するかを決定する。好ましい態様では、外部ＰＯＩ情報表示部２７０は、外部ＰＯＩ情報がどのような経緯により検索されたものであるかをユーザーが認識できるようにする。つまり、外部ＰＯＩ情報は、情報処理端末１０に保持された検索アプリケーションによってインターネット上から抽出されたものであるならば、当該検索アプリケーションを識別できるようなアイコンを表示する。検索アプリケーションは、ユーザー自身によって情報処理端末に登録された可能性が高く、その場合の検索結果は、ユーザーが信頼できるＰＯＩ情報であると推測される。検索アプリケーションを識別できるアイコンがインターネット上のＵＲＬのサイト若しくはウェブページに含まれていれば、当該アイコンの画像データは他のデータとともに取り込まれ、例えば、図７の「詳細」に格納される。この場合、ウェブページのタグなどからアイコンを判別することができる。他方、検索アプリケーションを識別できるようなアイコンは、必ずしもインターネット上から取得できるとは限らないので、その場合には、アイコンの画像データを予め用意しておき、その中から該当するアイコンの画像データを選択する。例えば図９に示すように、外部ＰＯＩ情報表示部２７０は、情報処理端末２０に保持されている検索アプリケーションの識別コードとそれに対応するアイコンの画像データをデータメモリ１９０に保持し、外部ＰＯＩ情報の検索に用いた検索アプリケーションに対応するアイコンの画像データを選択する。この図９に示すアイコンの画像データは、ナビゲーション機能が起動されていないときに情報処理端末２０のディスプレイに表示される検索アプリケーションのアイコンの画像データと同一であることができる。
【００４１】
次に、外部ＰＯＩ情報表示部２７０は、外部ＰＯＩ情報の表示態様を決定する。外部ＰＯＩ情報表示部２７０は、重複ＰＯＩ判定部２６０の判定結果に基づき、重複しないＰＯＩ情報の場合には、それ自身のアイコンを対応する座標に表示する、他方、重複する外部ＰＯＩ情報の場合には、ある態様では、内部ＰＯＩ情報のアイコンに隣接するように外部ＰＯＩ情報のアイコンを表示する。他の好ましい態様では、重複する外部ＰＯＩ情報のアイコンを、内部ＰＯＩ情報のアイコンに合成するような形態で表示する。この場合、外部ＰＯＩ情報のアイコンが内部ＰＯＩ情報のアイコンから判別できるようが合成にすることが望ましい。さらに他の好ましい態様では、内部ＰＯＩ情報のアイコンが上書きされ、重複する外部ＰＯＩ情報のアイコンが表示される。いずれの表示態様を選択するかは、任意であり、その選択は、ユーザーによって決定することも可能である。
【００４２】
図１０は、外部ＰＯＩ情報表示部２７０の動作を説明するフローである。外部ＰＯＩ情報表示部２７０は、外部ＰＯＩ情報にオリジナルのアイコンの画像データが含まれているか否かを判定し（Ｓ４０１）、含まれていれば当該アイコンの画像データを選択し（Ｓ４０２）、含まれていなければ図９に示すようなテーブルを参照し、予め用意された検索アプリケーションに該当するアイコンの画像データを選択する（Ｓ４０３）。次に、外部ＰＯＩ情報表示部２７０は、設定されたフラグを参照して外部ＰＯＩ情報が内部ＰＯＩ情報に重複するか否かを判別し（Ｓ４０４）、重複すれば、予め決められた表示態様に従い外部ＰＯＩ情報のアイコンをその座標に表示する（Ｓ４０５）、重複しなければ、外部ＰＯＩ情報のアイコンが単独でその座標に表示される（Ｓ４０６）。こうして、すべての外部ＰＯＩ情報のアイコンが表示エリア内に表示される（Ｓ４０７）。
【００４３】
このように本実施例によれば、内部ＰＯＩ情報に加えて外部ＰＯＩ情報を表示するようにしたので、ユーザーは、内部ＰＯＩ情報とともに、情報処理端末２０に保持されていない鮮度のある外部ＰＯＩ情報を同時に見ることができる。また、外部ＰＯＩ情報のアイコンは、検索アプリケーションを識別させるものであるから、ユーザーは、外部ＰＯＩ情報の信頼度を評価することができる。
【００４４】
なお、上記例では、外部ＰＯＩ情報表示部２７０は、外部ＰＯＩ情報のアイコンを表示するようにしたが、外部ＰＯＩ情報が内部ＰＯＩ情報と重複している場合には、必ずしも外部ＰＯＩ情報のアイコンを表示せず、検索アプリケーションを識別できるような文字情報を表示するようにしてもよい。ユーザーにしてみれば、外部ＰＯＩ情報の検索の属性がわかればよい。
【００４５】
図１１に外部ＰＯＩ情報表示部の表示例を示す。図１１（Ａ１）は、表示エリア３００内に現在地Ｍの周辺の道路地図が表示された状態を示している。この表示エリア３００内には、内部ＰＯＩ  Ａのアイコン３１０と、内部ＰＯＩ  Ｂのアイコン３２０が表示されている。ここで、内部ＰＯＩ  Ａは、レストラン、内部ＰＯＩ  Ｂは、ホテルとする。このような表示状態から、外部ＰＯＩ情報検索部２４０が起動される。
【００４６】
外部ＰＯＩ情報検索部２４０は、表示エリア３００に表示されている内部ＰＯＩ情報のジャンルとして、「レストラン」、「ホテル」を識別し、このジャンルに該当する検索アプリケーションを選択する。レストランに該当する検索アプリケーションＲは、決められたＵＲＬにアクセスし、そこからレストランに関する情報を収集する。一方、ホテルに該当する検索アプリケーションＨは、決められたＵＲＬにアクセスし、そこからホテルに関する情報を収集する。もし、レストランおよびホテルに該当する検索アプリケーションＲ、Ｈがない場合には、通常のブラウザを起動し、「レストラン」、「ホテル」をそれぞれの検索子に使用してインターネット上のレストランおよびホテルを検索する。あるいは、予め決められたレストラン検索サーバー、ホテル検索サーバーをアクセスし、そこからレストランおよびホテルに関する情報を収集するようにしてもよい。検索によるヒット件数が多い場合には、一定の数に制限してもよく、その場合には、内部ＰＯＩ  Ａ、Ｂの住所に含まれる市区町村名を検索子に用いて一致するものを絞り込むようにしてもよい。
【００４７】
図１１（Ａ２）は、検索された外部ＰＯＩ情報の表示例である。（Ａ１）との差分をみると、外部ＰＯＩ情報として新しいアイコン３１２と３３０が追加されている。アイコン３１２は、内部ＰＯＩ  Ａと重複する外部ＰＯＩ  Ａを表しており、アイコン３１０に隣接して表示される。また、アイコン３１２は、内部ＰＯＩ  Ａであるレストランを検索するときに用いられた検索アプリケーションＲを識別させる形態である。アイコン３３０は、内部ＰＯＩ情報には存在しなかった新しいレストランであり、外部ＰＯＩ  Ｃとして表示される。このアイコン３３０もまた、アイコン３１２と同様に、レストランを検索するときに用いられた検索アプリケーションＲを識別させる形態である。
【００４８】
図１１（Ｂ１）、（Ｂ２）は、外部ＰＯＩ情報と内部ＰＯＩ情報とが合成して表示される例を示している。内部ＰＯＩ  Ａのアイコン３１０に重なるようにアイコン３１２が合成して表示される。この場合、いずれか一方を透過処理することで、アイコン３１０とアイコン３１２の双方が視認できるようにする。アイコン３３０は、重複しないので、そのまま表示される。
【００４９】
図１１（Ｃ１）、（Ｃ２）は、外部ＰＯＩ情報を識別するための文字列や評価マークなどを表示する例を示している。内部ＰＯＩ  Ａを示すアイコン３１０の近傍に、外部ＰＯＩ  Ａが検索アプリケーションＲにより検索されたことがわかるような文字列（食べログ）３１４が表示される。さらに外部ＰＯＩ  Ａに関する紹介情報としての評価を示すマーク（星印）が表示されるようにしてもよい。また、外部ＰＯＩ  Ｃを示すアイコン３３２の形態は、任意であるが、ここでは内部ＰＯＩと同様のアイコンの形態で表示されているが、少なくとも、外部ＰＯＩ  Ｃが検索アプリケーションＲで検索されたことがわかるような文字列３３２が表示され、また同様に、その紹介情報も表示される。
【００５０】
こうして表示エリア内に表示された外部ＰＯＩ情報は、その座標を参照することで、内部ＰＯＩ情報と同様に目的地や立寄地に設定することが可能である。また、外部ＰＯＩ情報は、図７に示すようなデータ構成を有するので、アイコンを、外部ＰＯＩ情報に含まれるデータ(関連情報)とリンクさせるようにしてもよい。例えば、ユーザーが表示されたアイコンを選択することで、外部ＰＯＩ情報の詳細な情報に含まれる、レストランの口コミ情報や写真などを表示するようにしてもよい。さらには、アイコンを選択したときに、外部ＰＯＩ情報に含まれるＵＲＬを参照することで、そのＵＲＬのサイトのウェブページに表示を切替えるようにしてもよい。
【００５１】
このように本実施例によれば、ユーザーは、情報処理端末２０が保有する内部ＰＯＩ情報に加えて、ユーザー自身が利用可能な検索アプリケーションから取得した外部ＰＯＩ情報を一緒に見ることができ、内部ＰＯＩ情報と外部ＰＯＩ情報とを選択するような手間が省ける。
【００５２】
次に、外部ＰＯＩ情報表示部２７０による他の表示例について説明する。この例では、外部ＰＯＩ情報表示部２７０は、内部ＰＯＩ情報に存在しない新しい外部ＰＯＩ情報を検索した場合には、当該外部ＰＯＩ情報を、検索アプリケーションに由来するアイコンではなく、外部ＰＯＩ情報の属性に由来するアイコンで表示する。好ましい態様では、外部ＰＯＩ情報が系列またはチェーン店であることを示す情報を含んでいるとき、外部ＰＯＩ情報表示部２７０は、内部ＰＯＩ情報に用いられている系列またはチェーン店と同じアイコンで表示する。例えば、外部ＰＯＩ情報が、Ａレストランの系列である場合には、その系列であることを示す代表的なアイコンを用いて表示される。但し、外部ＰＯＩの属性に由来する情報と検索アプリケーションを識別する情報とを併せて表示させても良い。
【００５３】
また、他の好ましい態様では、外部ＰＯＩ情報が系列またはチェーン店に属さない場合には、外部ＰＯＩ情報のジャンルを表す典型的なアイコンで表示する。例えば、外部ＰＯＩ情報のジャンルがレストランであれば、典型的なレストランを表すアイコン、外部ＰＯＩ情報がホテルであれば、典型的なホテルを表すアイコンで表示される。必要であれば、外部ＰＯＩ情報表示部２７０は、チェーン店や系列を表すアイコン、ジャンルを表す典型的なアイコンの画像データを予め用意しておき、そこから選択したり、インターネット上からそのような典型的なアイコンを検索し、取得するようにしてもよい。この場合にも、検索アプリケーションを識別する情報と併せて表示させるようにしても良い。
【００５４】
図１２（Ａ）は、外部ＰＯＩ情報が系列のアイコンで表示された例であり、外部ＰＯＩ  Ｃを示すアイコン３４４は、系列Ａを識別させる形態を有する。また、図１２（Ｂ）は、外部ＰＯＩ情報がジャンルを表す典型的なアイコンで表示された例であり、外部ＰＯＩ  Ｃを示すアイコン３４６は、典型的なレストランを識別させる形態を有する。
【００５５】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００５６】
１０：情報処理システム                ２０：情報処理端末
３０：無線通信網                      ３２：基地局
３４：ネットワーク                    ４０：サーバー
２００：道路地図表示機能              ２１０：内部ＰＯＩ情報格納部
２２０：表示ジャンル設定部            ２３０：内部ＰＯＩ情報表示部
２４０；外部ＰＯＩ情報検索部          ２５０：外部ＰＯＩ情報抽出部
２６０：重複ＰＯＩ判定部              ２７０：外部ＰＯＩ情報表示部
３００：表示エリア
３１０、３１２、３２０、３３０、３３２、３３４、３３６：アイコン
３１４：文字列
【図１】
0005850791.tif 000002
【図２】
0005850791.tif 000003
【図３】
0005850791.tif 000004
【図４】
0005850791.tif 000005
【図５】
0005850791.tif 000006
【図６】
0005850791.tif 000007
【図７】
0005850791.tif 000008
【図８】
0005850791.tif 000009
【図９】
0005850791.tif 000010
【図１０】
0005850791.tif 000011
【図１１】
0005850791.tif 000012
【図１２】
0005850791.tif 000013